(57)【要約】【課題】  シリンダ部分のみを取り替えることができるシリンダ錠を備えた門扉を提供することである。【解決手段】  門扉錠６としてシリンダ錠６を採用した門扉１であって、シリンダ錠６は、錠ホルダ３１から取り外し可能である。シリンダ錠６は、錠ホルダ３１に対して、ピン３５で固定されており、ピン３５を抜くことで錠ホルダ３１から取り外すことができる。門扉１の家屋側には内側ユニット２５を配置し、門扉１の外側には外側ユニット２６を配置し、内側ユニット２５と外側ユニット２６とを門扉１を挟んで一体固着することによりシリンダ錠６を構成し、外側ユニット２６内にシリンダ錠６を設け、内側ユニット２５の対応する軸線上にサムターン又はシリンダ錠３４を取り替え可能に設けた。【選択図】  図６
2006291485.tif 000002
【特許請求の範囲】
【請求項１】
門扉錠にシリンダ錠を採用した門扉であって、前記シリンダ錠のシリンダは、門扉錠から取り外し可能であることを特徴とする門扉。
【請求項２】
前記シリンダ錠のシリンダは、ピンで固定されており、前記ピンを抜くことで門扉錠から取り外すことができることを特徴とする請求項１に記載の門扉。
【請求項３】
門扉の家屋側には内側ユニットを配置し、門扉の外側には外側ユニットを配置し、前記内側ユニットと外側ユニットとを門扉を挟んで一体固着することにより前記門扉錠を構成し、外側ユニット内に第一シリンダを設け、内側ユニットの対応する軸線上にサムターン又は第二シリンダを取り替え可能に設けたことを特徴とする請求項１又は２に記載の門扉。
【発明の詳細な説明】
【技術分野】
【０００１】
本発明は、建造物の周囲の敷地の内外を隔てる塀に設けた門扉に関するものである。
【背景技術】
【０００２】
建造物の周囲の敷地を仕切る塀に設けた従来の門扉には、特許文献１及び特許文献２のようなものがある。これらに記載されている門扉は、ハンドル操作すれば開くことができるようになっている。しかし、昨今は、不審者の敷地内への侵入を阻止するために、施錠可能な門扉を設ける場合が多くなってきた。このような施錠可能な門扉が、特許文献３に開示されている。
【特許文献１】特開２００２−１２９８１５号公報
【特許文献２】特開２００１−２２７２６９号公報
【特許文献３】特開２００２−２３５４６５号公報
【発明の開示】
【発明が解決しようとする課題】
【０００３】
特許文献３には、門扉にシリンダ錠を取り付けるための構成が開示されている。門扉にシリンダ錠を採用すると、防犯性を向上させることができるが、従来の門扉用のシリンダ錠は、門扉毎に一品一様に錠ホルダと一体に製造されているため、シリンダ部分のみを取り外すことができない。
【０００４】
一方、中古の住宅に引っ越した場合、門扉錠を交換しなければ、居住者以外の人（前にその住宅に住んでいた人）が、その門扉錠の鍵を所有していることも考えられるため、門扉錠は交換できるのが好ましい。玄関扉用のシリンダ錠は、一般にシリンダ部分のみを取り替えることができるが、門扉用のシリンダ錠は、玄関扉用のシリンダ錠のように交換はできなかった。
【０００５】
そこで本発明は、シリンダ部分のみを取り替えることができるシリンダ錠を備えた門扉を提供することを課題としている。
【課題を解決するための手段】
【０００６】
上記課題を解決するため、請求項１の発明の門扉は、門扉錠にシリンダ錠を採用した門扉であって、前記シリンダ錠のシリンダは、門扉錠から取り外し可能にしたものである。
シリンダ錠は、いわゆるディンプル式であってもよい。
【０００７】
請求項２の発明では、請求項１の発明の門扉において、前記シリンダ錠のシリンダは、ピンで固定されており、前記ピンを抜くことで門扉から取り外すことができるようにした。
【０００８】
請求項３の発明では、請求項１又は２の発明の門扉において、門扉の家屋側には内側ユニットを配置し、門扉の外側には外側ユニットを配置し、前記内側ユニットと外側ユニットとを門扉を挟んで一体固着することにより前記シリンダ錠を構成し、外側ユニット内に第一シリンダを設け、内側ユニットの対応する軸線上にサムターン又は第二シリンダを取り替え可能に設けた。
【発明の効果】
【０００９】
請求項１の門扉の発明では、門扉のシリンダ錠のシリンダを、門扉錠から取り外し可能にしたので、従来のようにシリンダ錠そのものを取り替える必要がない。そのため、シリンダを交換した後も、シリンダ錠のシリンダ以外の部分を引き続き使用することができるので経済的である。
【００１０】
請求項２の門扉の発明では、シリンダ錠のシリンダを、ピンで固定し、このピンを抜くことで門扉錠から取り外すことができるようにしたので、容易にシリンダ錠のシリンダを交換することができるようになる。
【００１１】
請求項３の門扉の発明では、門扉の家屋側には内側ユニットを配置し、門扉の外側には外側ユニットを配置し、内側ユニットと外側ユニットとを門扉を挟んで一体固着することにより門扉錠を構成し、外側ユニット内に第一シリンダを設け、内側ユニットの対応する軸線上にサムターン又は第二シリンダを取り替え可能に設けたので、門扉の内側にもシリンダを備えることができ、鍵を持たない侵入者による解錠を阻止することができる。また、門扉の構造上、内側へ手を回すことができない場合には、内側ユニットにはサムターンを設けることにより、鍵なしで施錠及び解錠ができるようにすると、利便性が向上する。このように、請求項３の発明を実施すると、門扉の周囲の状況を勘案して、内側ユニット側にシリンダ又はサムターンを適宜選択して取り付けることができようになる。
【発明を実施するための最良の形態】
【００１２】
以下において、シリンダ錠とは、シリンダを備えた錠を意味するものとする。
図１は、本発明を実施した門扉１を備えた家屋１０の概略図である。図１に示すように玄関扉４と窓５とを備えた家屋１０の周囲は、塀３で囲われている。塀３には、門扉１が設置されている。門扉１は、塀３に設けた門柱２ａに対して回動可能にヒンジ（図示せず）で固定されている。
【００１３】
門扉１には、門扉錠６（シリンダ錠）が設けてある。門扉錠６は、詳しくは後述する内側ユニット２５と外側ユニット２６とで構成されている。この門扉錠６によって、門扉１の施錠及び解錠を行う。図１では、門扉１が開いている状態を示している。門柱２ｂには、ストライク（図示せず）が設けてある。
【００１４】
塀３には郵便物や新聞等の投函口９が設けてあり、門扉１が閉じた状態であっても、配達者は家屋１０の敷地内に入ることなく、投函口９から配達物を投函することができるようになっている。また、訪問者は、門扉１が閉じていれば、インターホン１１を使用することにより、家人に来意を告げることができるようになっている。
【００１５】
以下、門扉錠６の構成について図２〜図４を参照しながら説明する。
図２は、門扉錠６の正面側（外側）から見た斜視図である。図２に示すように、門扉錠６は、外側ユニット２６と内側ユニット２５とで構成されている。内側ユニット２５はハウジング３２を備えており、外側ユニット２６はハウジング１３を備えている。ハウジング１３には突出部１４が一体成形されている。突出部１４には、内向きのフランジ部１４ａが設けてある。このフランジ部１４ａの裏面に、後述するシリンダ１８の先端部（又は後述するアダプタ１５）を当接させて、突出部１４の中心部分に鍵穴１６が配置されるようになっている。
【００１６】
門扉錠６の外側ユニット２６は、ハウジング１３、固定部材１９（後述）及びシリンダ１８とから成り、門扉１の外側（家屋１０の敷地の外側）に配置される。また、門扉錠６の内側ユニット２５は、ハウジング３２内に錠ホルダ３１を備えており、門扉１の内側（家屋１０の敷地側）に配置される。内側ユニット２５には、門扉錠６の施錠と解錠とを切り替えるつまみ（サムターン機構等）が設けてある。外側ユニット２６と内側ユニット２５は、後述する構成により、門扉１を挟んで一体固着される。
【００１７】
次に門扉錠６の構成を、外側ユニット２６と内側ユニット２５に分けて説明する。まず、外側ユニット２６について説明する。
図３は、外側ユニット２６のハウジング１３の裏面図であり、図４は、固定部材１９の裏面図である。また、図５はシリンダ１８の斜視図である。さらに、図６は、外側ユニット２６の斜視図である。
【００１８】
図３及び図６に示すように、ハウジング１３の周囲（４辺）には、起立壁２７が設けてある。この起立壁２７の内側に、図４に示す固定部材１９を固着するためのねじ穴１３ａが４箇所に設けてある。また、ハウジング１３の起立壁２７の内側に、３つの突起部１３ｂが設けてある。３つの突起部１３ｂのうち、２つは起立壁２７の一辺側（図３で見て右側の辺）に設けてあり、残りの１つは起立壁２７の対向する他辺側（図３で見て左側の辺）に設けてある。さらに、ハウジング１３には、後述するシリンダ１８に設けた鍵穴１６を露出させるための孔１３ｃと、門扉１を開閉するためのノブの回転軸（図示せず）を通過させるための孔１３ｄとが設けてある。図３に示すハウジング１３の孔１３ｃには、アダプタ１５が装着されている。アダプタ１５は、後述するシリンダ１８に備えた鍵穴１６と孔１３ｃとの間の隙間を埋め、さらにシリンダ１８をハウジング１３に対して安定して固定するための機能を備えている。
【００１９】
図４に示すように、固定部材１９には、長手方向に延びる２つの側壁部２２が形成されている。この２つの側壁部２２には、後述するシリンダ１８を固定部材１９に固定するためのピン２０（後述）を貫通させる貫通孔２２ａが設けてある。貫通孔２２ａは、両側壁部２２のそれぞれ２箇所に、対向するように設けてある。
【００２０】
また、固定部材１９には、シリンダ１８を通過させる孔１９ｃと、ノブの回転軸（図示せず）を通過させる孔１９ｄとが設けてある。孔１９ｃには、シリンダ１８（後述）のフランジ２３を通過させるための切り欠き部３０が設けてある。
【００２１】
また、固定部材１９には、４つの孔１９ａと３つの切り欠き部１９ｂとが設けてある。４つの孔１９ａは、図３に示すハウジング１３の４つのねじ穴１３ａに対応する位置に設けてあり、３つの切り欠き部１９ｂは、ハウジング１３の３つの突起部１３ｂに対応する位置に設けてある。固定部材１９の３つの切り欠き部１９ｂを、ハウジング１３の３つの突起部１３ｂに位置合わせして嵌合させてハウジング１３に固定部１９を重ね合わせ、固定部材１９の４つの孔１９ａにねじ２１（図６）を貫通させ、さらにこのねじ２１をハウジング１３の４つのねじ穴１３ａに螺合させることにより、両者は一体固着することができるようになっている。
【００２２】
外側ユニット２６には、シリンダ１８が取り付けられる。図５に示すように、このシリンダ１８には２つのフランジ２３が設けてある。フランジ２３は、円周の一部を切り欠いてシリンダ１８の円筒外周面から半径方向外方へ突出するように形成されている。両フランジ２３には、弦方向に延びるピン孔１８ａが設けてある。この各フランジ２３に設けた２つのピン孔１８ａの間隔は、前述の固定部材１９に設けた貫通孔２２ａの間隔と一致している。フランジ２３は、固定部材１９（図４）の孔１９ｃの切り欠き部３０を通過することができるように形成されている。
【００２３】
固定部材１９の正面側（図４において紙面の裏側）から孔１９ｃにシリンダ１８を嵌め込み、シリンダ１８のフランジ２３が切り欠き部３０を通過したところでシリンダ１８を９０度回転させる。これにより、シリンダ１８を紙面の裏側方向へ移動させると、フランジ２３が孔１９ｃの縁に当接する。さらにピン２０を、固定部材１９の貫通孔２２ａと、フランジ２３に設けたピン孔１８ａに貫通させることにより、固定部材１９とシリンダ１８とが一体化される。そして、この状態で固定部材１９とハウジング１３とをねじ２１で一体固着すると、ピン２０の抜け落ちが、前述の起立壁２７によって阻止される。
【００２４】
また、上述のように外側ユニット２６を組み立てると、シリンダ１８の先端部分と鍵穴１６とが突出部１４の中央部分に迫り出されるように配置される。シリンダ１８の先端部分の、鍵穴１６と突出部１４のフランジ部１４ａの間に隙間がある場合には、アダプタ１５を設け、隙間を埋めるようにするのが好ましい。アダプタ１５の素材に蓄光部材を採用すると、夜間に鍵穴１６の位置が確認し易くなる。また、アダプタ１５を使用することにより、突出部１４（フランジ部１４ａ）と鍵穴１６との間を良好に埋め合わせることができるので、複数の錠製造会社の錠を採用することができる。
【００２５】
さらに、固定部材１９には、２つの円筒ねじ穴部２４が設けてある。円筒ねじ穴部２４は、円筒の内部に雌ねじを設けたものである。図１に示す門扉１には、この円筒ねじ穴部２４を貫通させる孔１ａ（後述の図８に描写）が設けてある。詳しくは後述するが、内側ユニット２５と外側ユニット２６とは、この円筒ねじ穴部２４に、対応するねじ３８ａ（後述の図８、９に描写）を螺合させることにより、門扉１を挟んで一体固着することができるようになっている。
【００２６】
シリンダ１８（図５）の中心部には、特定形状の鍵で施錠及び解錠することができる鍵穴１６が配置されている。前述したようにシリンダ１８には、ピン孔１８ａを備え、且つ、半径方向に突出する２つのフランジ２３が設けてある。
【００２７】
シリンダ１８を固定部材１９の所定位置に配置し、固定部材１９の貫通孔２２ａとシリンダ１８のピン孔１８ａとをピン２０で貫通させることにより、固定部材１９とシリンダ１８とが一体化される。さらに図６に示すように、ねじ２１で固定部材１９を図３に示すハウジング１３に固着すると、ハウジング１３の起立片２７によってピン２０の抜け落ちが阻止され、シリンダ１８がハウジング１３に一体的に固定され、ハウジング１３、固定部材１９及びシリンダ１８の外側ユニット２６が完成する。
【００２８】
次に、内側ユニット２５について説明する。図７は、内側ユニット２５の分解斜視図である。また、図８及び図９は門扉錠６の断面図である。図８は、内側ユニット２５が組み立てられる前の状態を示しており、図９は、内側ユニット２５が組み立てられた後の状態を示している。図７〜図９に示すように、内側ユニット２５は、取付座３３、錠ホルダ３１及びハウジング３２を備えている。
【００２９】
取付座３３は、外側ユニット２６の円筒ねじ穴部２４（図６、８、９）と螺合するねじを貫通させる孔３８が２箇所に設けてある。円筒ねじ穴部２４にねじ３８ａを螺合させることにより、外側ユニット２６と取付座３３は、門扉１を挟んで一体に固着される。
【００３０】
この取付座３３には、錠ホルダ３１を固着したハウジング３２が取り付けられる。図８に示すように、錠ホルダ３１には、ラッチ５０と鍵５１及び鍵５１の駆動軸５１ａとが備えられている。また、錠ホルダ３１には、鍵５１の駆動軸５１ａと係合する内側シリンダ３４が設けてある。内側シリンダ３４には、図５に示すシリンダ１８のフランジ２３と同様のフランジ３４ａが設けてある。フランジ３４ａにはピン孔１８ａ（図５）と同様のピン孔３４ｂが形成されている。
【００３１】
図７に示すように、錠ホルダ３１の側壁３１ｂの、内側シリンダ３４に設けたピン孔３４ｂに対応する位置には、貫通孔３１ａが設けてある。この貫通孔３１ａとピン孔３４ｂとをピン３５で貫通させることにより、錠ホルダ３１に内側シリンダ３４が固定される。
【００３２】
この内側シリンダ３４を固定した錠ホルダ３１をハウジング３２内に収容し、ハウジング３２内に突出形成したねじ穴部３２ｃにねじ４０を螺合させ、錠ホルダ３１をハウジング３２に固定する。この状態でピン３５は、ハウジング３２の内壁面と干渉して抜け落ちないようになっている。
【００３３】
さらにハウジング３２にはねじ３９を通す孔３２ａが設けてあり、また、取付座３３にはねじ３９と螺合するねじ孔３３ａが設けてある。ハウジング３２と取付座３３とを、ねじ３９で固着することにより、内側ユニット２５は一体化される。また、内側シリンダ３４に配置した鍵５１の鍵穴５１ｂが、ハウジング３２から露出するように、ハウジング３２には孔３２ｂが設けてある。
【００３４】
内側ユニット２５は、上述のような構成を備えているので、ハウジング３４を取り外してピン３５を抜くことにより、簡単に内側シリンダ３４を取り外すことができる。そして、内側シリンダ３４の代わりに、サムターン等のエマージェンシー（図示せず）をピン３５で内側ユニット２５に取り付けることもできる。内側シリンダ３４又は図示しないサムターン等のエマージェンシーのいずれを内側ユニット２５に取り付けるかは、任意に選定することができる。
【００３５】
門扉錠６とは別の門扉錠４４の変形例を図１０〜図１２に示す。図１０は、内側ユニット４５を分解した状態を示しており、図１１は内側ユニット４５を組み立てた状態を示しており、さらに図１２は、門扉錠４４の内側ユニット４５の分解斜視図を示している。図１０及び図１１に示す門扉錠４４は、内側ユニット４５と外側ユニット４６とを備えている。門扉錠４４において、門扉錠６と異なる点は、内側ユニット４５と外側ユニット４６とを、連結部材４７で連結している点のみであり、その他の構成に違いはない。
【００３６】
連結部材４７は、細長い板形状を呈しており、その両端部分にはピン孔４７ａが設けてある。一旦側のピン孔４７ａには、ピン３７が貫通しており、さらにピン３７の両端は、錠ホルダ３１の側壁３１ｂに設けた孔３１ｃ（図１２）を貫通して、孔３１ｃで支持されている。
【００３７】
連結部材４７の他端側のピン孔４７ａは、外側ユニット４６に設けたシリンダ１８のピン孔１８ａと共にピン２０で貫通されて、ピン２０で支持されている。そのため図１３に示すように、固定部材１９には、連結部材４７を貫通させる孔４１が４箇所に設けてある。連結部材４７は、例えば炭素鋼等の剛性の高い素材で形成されている。そのため、門扉錠４４（図１１）は、門扉錠６（図９）よりも、外的ショックが加えられても破損しにくく、防犯性が高い。連結部材４７の長さは、門扉１の厚みに応じて、任意に選定することが可能である。
【００３８】
シリンダ１８及び内側シリンダ３４の変形例としては、図１４に示すようなものがある。図１４は、先端にテーパ状のカラー２８ａを備えたシリンダ２８の斜視図である。シリンダ２８の構成は、先端部分にテーパ状のカラー２８ａを備えた以外は、図５に示すシリンダ１８及び内側シリンダ３４の構成と同じである。シリンダ２８では、カラー２８ａの底部２８ｂが、固定部材１９の孔１９ｃの周囲と当接し、カラー２８ａの斜面のいずれかの位置において、ハウジング１３の孔１３ｃと当接し、カラー２８ａはハウジング１３と固定部材１９の間で狭持され、シリンダ２８が確実に固定される。
【００３９】
図１５は、外側ユニット２６のシリンダ１８又は２８とハウジング１３の位置関係を示す断面図である。図１５（ａ）は、シリンダ１８の直径と孔１３ｃの直径とがほぼ同じであり、そのままではハウジング１３に対するシリンダ１８の固定が不安定になるが、両者の間にアダプタ１５を配置することにより、シリンダ１８の固定を安定化させている。
【００４０】
図１５（ｂ）は、孔１３ｃの直径よりもシリンダ１８の直径の方が、明らかに大きい場合を示しており、この場合には図１５（ａ）に示すようなアダプタ１５は不要である。また、図１５（ｃ）は、シリンダ２８の先端にテーパ状のカラー２８ａを設け、さらに、ハウジング１３の孔１３ｃと同心状に形成されたテーパ壁２９に、カラー２８ａの斜面を当接させた状態を示している。このようにすると、シリンダ２８のハウジング１３への固定の安定化を図ることができる。内側シリンダ３４についても、シリンダ２８と同様に上述した構成を採用することができる。
【００４１】
玄関扉４に設置された玄関扉錠７の施錠及び解錠に使用されている鍵の製造会社とキー番号とから、門扉錠６を施錠及び解錠するための特定形状の鍵に対応するように、シリンダ錠を製造することができる。門扉錠６は、上述の逆の手順で解体することができるので、特定形状の鍵で施錠及び解錠することができるシリンダ錠を、門扉１に取り付けることもできる。
【００４２】
門扉１と玄関扉４とは、通常、異なる製造会社によって別々に製造される。そのため、門扉１と玄関扉４とは、それぞれ別の鍵を使用して施錠及び解錠する必要があったが、本実施の形態のように門扉錠６を構成することにより、両扉の施錠及び解錠を同一の鍵で行うことができる。門扉用のシリンダを製造会社に注文する際に、玄関用のシリンダと同一のキー番号のシリンダを指定すればよい。
【００４３】
門扉錠６は、門扉１の表面に外付けする面付けタイプとして実施するのが好ましい。面付けタイプの門扉錠６は、内蔵タイプの門扉錠よりも実施が容易であり、また、既設の門扉１に対しても実施することができ、汎用性が高い。シリンダ１８（内側シリンダ３４も同様）を組み付ける前の門扉錠６の出荷持には、孔１３ｃ（図３）に閉塞部材を装着し、孔１３ｃを保護するのが好ましい。
【図面の簡単な説明】
【００４４】
【図１】本発明を実施した門扉を備えた家屋の概略図である。
【図２】本発明を実施した門扉錠の斜視図である。
【図３】錠のハウジングの裏面図である。
【図４】錠の固定部材の裏面図である。
【図５】錠のシリンダの斜視図である。
【図６】門扉の外側に配置する錠の外側ユニットの斜視図である。
【図７】内側ユニットの分解斜視図である。
【図８】門扉錠の内側ユニットを分解した状態の断面図である。
【図９】門扉錠の内側ユニットを組み立てた状態の断面図である。
【図１０】図８とは別の門扉錠の内側ユニットを分解した状態の断面図である。
【図１１】図９とは別の門扉錠の内側ユニットを組み立てた状態の断面図である。
【図１２】変形例の門扉錠に備えた内側ユニットの分解斜視図である。
【図１３】図４の裏面図に対応する、変形例の門扉錠に備えた外側ユニットの固定部材の裏面図である。
【図１４】先端にテーパ状のカラーを備えたシリンダの斜視図である。
【図１５】（ａ）〜（ｃ）は、それぞれ外側ユニットのシリンダとハウジングの関係を示す部分断面図である。
【符号の説明】
【００４５】
１  門扉
２ａ、２ｂ  門柱
３  塀
４  玄関扉
６  門扉錠（シリンダ錠）
７  玄関扉錠
１０  家屋
１５  アダプタ
１６  鍵穴
１８  シリンダ
１９  固定部材
２０  ピン
２３  シリンダに設けたフランジ
２５  内側ユニット
２６  外側ユニット
２８  シリンダ
２８ａ  シリンダに設けたテーパ状のカラー
２９  テーパ壁
３１  錠ホルダ
３２  ハウジング
３３  取付座
３４  内側シリンダ
３４ａ  フランジ部
３４ｂ  ピン孔
３５  ピン
【図１】
2006291485.tif 000003
【図２】
2006291485.tif 000004
【図３】
2006291485.tif 000005
【図４】
2006291485.tif 000006
【図５】
2006291485.tif 000007
【図６】
2006291485.tif 000008
【図７】
2006291485.tif 000009
【図８】
2006291485.tif 000010
【図９】
2006291485.tif 000011
【図１０】
2006291485.tif 000012
【図１１】
2006291485.tif 000013
【図１２】
2006291485.tif 000014
【図１３】
2006291485.tif 000015
【図１４】
2006291485.tif 000016
【図１５】
2006291485.tif 000017